【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
情報特徴付け特性のセットをそれぞれ有する情報アイテムのセットを検索し、検索の結果を表示する情報検索装置において、
ユーザが定義した情報特徴付け特性に基づいて上記情報アイテムを検索し、該ユーザが定義した情報特徴付け特性に対応する情報特徴付け特性を有する情報アイテムを特定する検索プロセッサと、
上記検索によって特定された情報アイテムのセットから、同様の情報アイテムが同様の位置にマッピングされるアレー内の位置に関して、該情報アイテムの互いの類似性に基づいて特定された情報アイテムを提供する情報アイテムのマップを表すデータを生成するマッピングプロセッサと、
上記少なくとも幾つかの特定された情報アイテムの表現を表示するグラフィカルユーザインタフェースと、
特定された情報アイテムを選択するユーザ操作子とを備え、
上記検索プロセッサは、上記ユーザが選択した情報アイテムに関連する情報アイテムを特定するための検索の精度を高めることを特徴とする情報検索装置。
【請求項２】
上記情報特徴付け特性は、上記情報アイテムのコンテンツ又は属性を記述するメタデータを含むことを特徴とする請求項１記載の情報検索装置。
【請求項３】
上記ユーザ操作子は、上記特定された情報アイテムに関連するメタデータに基づいて該特定された情報アイテムを選択し、上記検索プロセッサは、同じ及び／又は同様のメタデータを含む情報アイテムについて、上記情報アイテムのセットを検索することを特徴とする請求項１又は２記載の情報検索装置。
【請求項４】
上記検索プロセッサは、上記アレー内で、上記ユーザが特定した情報アイテムから所定数の位置内にある情報アイテムのセットから情報アイテムを特定することにより、ユーザが選択した特定された情報アイテムに関して、上記情報アイテムのセットを検索することを特徴とする請求項１乃至３いずれか１項記載の情報検索装置。
【請求項５】
上記ユーザ操作子は、複数の特定された情報アイテムを選択し、該特定された情報アイテム間で、論理演算子を用いて検索関係を指定する機能をユーザに対して提供することを特徴とする請求項１乃至４いずれか１項記載の情報検索装置。
【請求項６】
上記論理演算子がＯＲである場合、上記検索プロセッサは、上記ユーザが選択した各メタデータによって特定される各アレー位置から所定数のアレー位置内の情報アイテムを特定し、
上記論理演算子がＡＮＤである場合、上記検索プロセッサは、上記ユーザが選択した各情報アイテムに対応するメタデータを結合し、該結合されたメタデータによって特定されるアレー位置から所定数のアレー位置内の情報アイテムを特定し、
上記論理演算子がＮＯＴである場合、上記検索プロセッサは、上記ユーザが選択したメタデータによって特定されるアレー位置から所定数のアレー位置内の情報アイテムを除外することを特徴とする請求項５記載の情報検索装置。
【請求項７】
上記情報特徴付け特性は、ビデオ画像を表すデータを含み、上記ユーザ操作子は、情報アイテムに関連するビデオ画像フレームを選択する機能を提供し、上記検索プロセッサは、該選択されたビデオ画像フレームと、各画像アイテムに関連する代表的な画像フレームとを比較することによって上記情報アイテムを検索することを特徴とする請求項１乃至６いずれか１項記載の情報検索装置。
【請求項８】
上記代表的な画像フレームは、情報アイテムに関連するビデオ画像フレームの色情報コンテンツの平均値に基づいて、該情報アイテムに関連するビデオ画像フレームから選択されることを特徴とする請求項７記載の情報検索装置。
【請求項９】
上記検索プロセッサは、同じ及び／又は同様の色情報を有する代表的なビデオ画像を有する情報アイテムを特定することによって、上記選択された代表的なビデオ画像フレームに関連する情報アイテムを検索することを特徴とする請求項７又は８記載の情報検索装置。
【請求項１０】
上記ユーザ操作子は、上記特定された情報アイテムから複数のビデオ画像フレームを選択し、検索クエリを生成し、論理演算子に基づいて、該選択されたビデオ画像フレーム間で検索関係を指定する機能をユーザに提供することを特徴とする請求項７乃至９いずれか１項記載の情報検索装置。
【請求項１１】
上記論理演算子がＯＲである場合、上記検索プロセッサは、上記ユーザが選択した各画像フレームから所定の距離内にある色ヒストグラムを有する代表的な画像フレームを含む情報アイテムを特定し、
上記論理演算子がＡＮＤである場合、上記検索プロセッサは、上記ユーザが選択した各情報アイテムの色ヒストグラムを結合し、該結合された色ヒストグラムから所定の距離内にある色ヒストグラムを有する代表的なビデオ画像フレームを含む情報アイテムを特定し、
上記論理演算子がＮＯＴである場合、上記検索プロセッサは、上記ユーザが選択したビデオ画像フレームから所定の距離内にある色ヒストグラムを有する代表的なビデオ画像フレームを含む情報アイテムを除外することを特徴とする請求項１０記載の情報検索装置。
【請求項１２】
上記情報特徴付け特性は、オーディオ信号を表すデータを含み、上記ユーザ操作子は、情報アイテムを選択し、該オーディオデータ又はオーディオ信号のコンテンツ又は属性を記述するオーディオメタデータの少なくとも一方の種類に基づく検索クエリを生成する機能を提供することを特徴とする請求項１乃至１１いずれか１項記載の情報検索装置。
【請求項１３】
上記検索プロセッサは、同じ及び／又は同様のオーディオデータを有する情報アイテムを特定することによって、上記選択されたオーディオデータに関連する情報アイテムを検索することを特徴とする請求項１２記載の情報検索装置。
【請求項１４】
上記ユーザ操作子は、上記特定された情報アイテムから複数のオーディオデータを選択し、検索クエリを生成し、論理演算子に基づいて、該選択されたオーディオデータの間で検索関係を指定する機能をユーザに提供することを特徴とする請求項１２又は１３記載の情報検索装置。
【請求項１５】
上記論理演算子がＯＲである場合、上記検索プロセッサは、上記ユーザが選択した各情報アイテムに関連するオーディオメタデータから生成された特徴ベクトルによって特定された各アレー位置から所定数のアレー位置内の情報アイテムを特定し、
上記論理演算子がＡＮＤである場合、上記検索プロセッサは、上記ユーザが選択した各情報アイテムに対応するオーディオメタデータを結合し、該結合されたオーディオメタデータに対応する特徴ベクトルによって特定されるアレー位置から所定数のアレー位置内の情報アイテムを特定し、
上記論理演算子がＮＯＴである場合、上記検索プロセッサは、上記ユーザが選択した情報アイテムに関連する特徴ベクトルによって特定されるアレー位置から所定数のアレー位置内の情報アイテムを除外することを特徴とする請求項１４記載の情報検索装置。
【請求項１６】
情報特徴付け特性のセットをそれぞれ有する情報アイテムのセットを検索し、検索の結果を表示する情報検索方法において、
ユーザが定義した情報特徴付け特性に基づいて上記情報アイテムを検索するステップと、
上記検索によって特定された情報アイテムのセットから、同様の情報アイテムが同様の位置にマッピングされるアレー内の位置に関して、該情報アイテムの互いの類似性に基づいて特定された情報アイテムを提供する情報アイテムのマップを表すデータを生成するステップと、
上記アレーにおいて、上記ユーザが定義した情報特徴付け特性に対応する情報特徴付け特性を有する情報アイテムの位置を特定するステップと、
上記少なくとも幾つかの特定された情報アイテムの表現を表示するステップと、
特定された情報アイテムを選択するステップと、
上記選択された情報アイテムに関連する情報アイテムを特定するための検索の精度を高めるステップとを有する情報検索方法。
【請求項１７】
上記情報特徴付け特性は、上記情報アイテムのコンテンツ又は属性を記述するメタデータを含むことを特徴とする請求項１６記載の情報検索方法。
【請求項１８】
上記特定された情報アイテムを選択するステップは、
該特定されたアイテムに関連するメタデータに基づいて該特定された情報アイテムを選択するステップと、
同じ及び／又は同様のメタデータを含む情報アイテムについて、上記情報アイテムのセットを検索するステップとを有することを特徴とする請求項１６又は１７記載の情報検索方法。
【請求項１９】
上記情報アイテムを検索するステップは、
ユーザが選択したメタデータに対応する上記ユーザが特定した情報アイテムから所定数の位置内にある上記情報アイテムのセットから情報アイテムを特定することによって、ユーザが選択した情報アイテムに関連するメタデータに関して、上記情報アイテムのセットを検索するステップを有することを特徴とする請求項１８記載の情報検索方法。
【請求項２０】
上記特定された情報アイテムを選択するステップは、ユーザに対し、複数の特定された情報アイテムを選択し、該特定された情報アイテム間で、論理演算子を用いて検索関係を指定する機能を提供するステップを有することを特徴とする請求項１６乃至１９いずれか１項記載の情報検索方法。
【請求項２１】
上記情報アイテムを検索するステップは、
上記論理演算子がＯＲである場合、上記ユーザが選択した各メタデータによって特定される各アレー位置から所定数のアレー位置内の情報アイテムを特定し、
上記論理演算子がＡＮＤである場合、上記ユーザが選択した各情報アイテムに対応するメタデータを結合し、該結合されたメタデータによって特定されるアレー位置から所定数のアレー位置内の情報アイテムを特定し、
上記論理演算子がＮＯＴである場合、上記ユーザが選択したメタデータアイテムによって特定されるアレー位置から所定数のアレー位置内の情報アイテムを除外することを特徴とする請求項２０記載の情報検索方法。
【請求項２２】
上記情報特徴付け特性は、ビデオ画像を表すデータを含み、
上記特定された情報アイテムを選択するステップは、
代表的な画像フレームに基づいて、上記情報アイテムのそれぞれに関連付けられたビデオ画像から情報アイテムを選択する機能を提供するステップと、
同じ及び／又は同様の色情報を有する代表的なビデオ画像を有する情報アイテムを特定することによって、上記選択された代表的なビデオ画像フレームに関連する情報アイテムを検索するステップとを有することを特徴とする請求項１６乃至２１いずれか１項記載の情報検索方法。
【請求項２３】
上記情報特徴付け特性は、オーディオ信号を表すデータを含み、
上記特定された情報アイテムを選択するステップは、
上記オーディオ信号のコンテンツ又は属性を記述するオーディオデータ又はオーディオメタデータの少なくとも一方の種類に基づいて、情報アイテムを選択する機能を提供するステップと、
同じ及び／又は同様のオーディオデータを有する情報アイテムを特定することによって、上記選択されたオーディオデータに関連する情報アイテムを検索するステップとを有することを特徴とする請求項１６乃至２２いずれか１項記載の記載の情報検索方法。
【請求項２４】
情報特徴付け特性のセットをそれぞれ有する情報アイテムのセットを検索する検索クエリを特定するグラフィカルユーザインタフェースにおいて、
上記情報アイテムのセットから情報アイテムを選択する機能を提供する複数のフィールドを備え、
上記複数のフィールドの各行は、それぞれの行に関係付けられている異なる種類の情報特徴付け特性に基づいて上記検索クエリを生成するための検索条件を定義することを特徴とするグラフィカルユーザインタフェース。
【請求項２５】
上記各行について、複数の情報アイテムを選択でき、該各行に２つ以上の情報特徴付け特性が与えられている場合、上記検索クエリの検索条件は、ユーザが指定した論理演算子に基づいて結合されることを特徴とする請求項２４記載のグラフィカルユーザインタフェース。
【請求項２６】
上記情報特徴付け特性は、メタデータ、ビデオ画像及びオーディオメタデータのうちの少なくとも１つであることを特徴とする請求項２４又は２５記載のグラフィカルユーザインタフェース。
【請求項２７】
請求項１６乃至請求項２３いずれか１項記載の情報検索方法を実現するコンピュータで実行可能なプログラムコードを含むコンピュータソフトウェア。
【請求項２８】
請求項２７記載のプログラムコードを格納し、コンピュータで該プログラムコードを読出可能な提供媒体。
【請求項２９】
当該提供媒体は、記録媒体であることを特徴とする請求項２８記載の提供媒体。